(57)【要約】本発明の入力回路は、正極及び負極を有する直流電力を正極入力端子１１ａ及び負極入力端１２ａを有する開閉スイッチ１３Ａのそれぞれの入力端子に対応させて接続する入力回路おいて、前記双極単投スイッチ１３Ａは前記直流電力の正極が正極入力端子１１ａに接続されかつ前記直流電力の負極が負極入力端子１２ａに接続された際にこのスイッチの操作時のアーク放電を減衰させる消弧機構を有すると共に、負極入力端子１２ａから正極入力端子１１ａへ向けて電流が流れる方向にダイオード１０ａが電気的に接続されている。【選択図】図２
2014033868.tif 000002
【特許請求の範囲】
【請求項１】
正極及び負極を有する直流電力を正極入力端子及び負極入力端を有する双極単投スイッチのそれぞれの入力端子に対応させて接続する入力回路おいて、
前記双極単投スイッチは、前記直流電力の正極が正極入力端子に接続されかつ前記直流電力の負極が負極入力端子に接続されている際に、このスイッチの操作時のアーク放電を減衰させる消弧機構を有すると共に、前記負極入力端子から前記正極入力端子へ向けて電流が流れる方向にダイオードが電気的に接続されていることを特徴とする入力回路。
【請求項２】
前記双極単投スイッチの出力側の端子には、リアクタンス、スイッチング素子、整流ダイオード及びコンデンサを有する昇圧回路が接続され、
前記スイッチング素子には、当該スイッチング素子の動作時の電流方向と逆方向の通電を可能とする還流ダイオードが併設されていることを特徴とする請求項１に記載の入力回路。
【請求項３】
前記直流電力は、太陽電池で発電されるものであることを特徴とする請求項１又は２に記載の入力回路。
【請求項４】
直流電力を入力回路を介して入力した後、その電圧を昇圧回路で昇圧し、インバータ回路で交流電力に変換して負荷へ供給する電力変換装置において、
前記入力回路は、前記直流電力の正極及び負極を正極入力端子及び負極入力端を有する双極単投スイッチのそれぞれの入力端子に対応して接続されており、
前記双極単投スイッチは、前記直流電力の正極が前記正極入力端子に接続されかつ前記直流電力の負極が前記負極入力端子に接続されている際に、このスイッチの操作時のアーク放電を減衰させる消弧機構を有すると共に、前記負極入力端子から前記正極入力端子へ向けて電流が流れる方向にダイオードが電気的に接続されており、
前記昇圧回路は、リアクタンス、スイッチング素子、整流ダイオード及びコンデンサを有し、
前記スイッチング素子には、当該スイッチング素子の動作時の電流方向と逆方向の通電を可能とする還流ダイオードが併設されていることを特徴とする電力変換装置。
【請求項５】
前記直流電力は、太陽電池で発電されるものであることを特徴とする請求項４に記載の電力変換装置。
【発明の詳細な説明】
【技術分野】
【０００１】
本発明は、太陽電池、燃料電池、蓄電池などの直流電力源から供給される直流電力を入力する入力回路及びこの入力回路を介して得られる直流電力を交流電力に変換する電力変換装置に関するものである。【０００２】
近年、太陽電池、燃料電池、蓄電池などで発電される直流電力を交流電力に変換し、この変換した交流電力を負荷へ供給する交流電力供給システムが開発されている。例えば、太陽電池セルは、個々の起電力及び出力電流が小さいため、複数の太陽電池セルを直列に接続した太陽電池モジュールを複数個並列に接続して所望の直流電力が得られるようにされている。また、燃料電池や蓄電池も所望の出力が得られるように適宜の個数を並列／直列に接続している。【０００３】
例えば太陽光発電システムであれば、複数の太陽電池モジュールに加えて、これら太陽モジュールの出力をまとめる集電部や直流電力を交流電力に変換する電力変換部を有している。この集電部は、複数の太陽電池モジュールとそれぞれ接続される配線を箱内にて接続して１つの出力ラインを構成している。これにより集電部は、複数の太陽電池モジュールを並列に接続し、複数の太陽電池モジュールの出力電力を１つにまとめることができる。集電部によりまとめられた複数の太陽電池モジュールの直流出力電力は、電力変換部へ出力され、この電力変換部によって商用電力系統の周波数に同期した交流電力に変換された後、商用電力系統（負荷）へ重畳される。なお、交流電力を商用電力系統の配線を介さず直接負荷へ供給する場合もある。【０００４】
このような集電部内では直流電力の正極線路及び負極線路には、それぞれ直流開閉器が介在しており、システムのメンテナンスを行う際に太陽電池等の直流電力源を切り離すことができるようになっている（下記特許文献１参照）。ところで、直流開閉器に電流が流れている際に直流開閉器の接片を開くと、アーク放電が生じる。すなわち、大電流が流れている電力回路においては、電流を遮断するために直流開閉器の接片を接点から開放しても、アーク放電により接片及び接点の周囲の空気がイオン化し、接片及び接点間の距離が近く諸条件によってはアーク放電が持続されることがあった。このアーク放電によって接点及び切片は加熱され、またアーク放電の熱により直流開閉器が故障することになる。このため、アーク放電を消滅させる消弧機構を備えた直流開閉器が提供されている（下記特許文献２参照）。【０００５】
この消弧機構には、例えば、特許文献２に示されるように磁石を利用したものがある。具体的には、消弧機構は、磁石を接片付近に配置したときに、電流の向きと磁束の向きに応じて生じる力でアーク放電の方向が変わることを利用している。消弧機構は、アーク放電の先に磁性板を有し、磁性板にアーク放電を引き込んで分断・冷却してアーク放電を消滅する。このため、消弧機構を有する直流開閉器は電流の向きを固定してアーク放電を磁性板側に向けている。このため、直流開閉器は、直流電力源へ接続する際に極性（正極、負極）が予め決められている。
【先行技術文献】
【特許文献】
【０００６】
【特許文献１】特開２０１０−４１７５８号公報
【特許文献２】特開２０１１−１２９３８５号公報
【発明の開示】
【発明が解決しようとする課題】
【０００７】
しかしながら、直流電力を予め定められた極性と間違えて直流開閉器に接続してしまうと、回路構成によっては電流の循環路が構成され、直流開閉器の接片が閉じていればそのまま電流が流れてしまうことがある。この状態で直流開閉器の接片を開くとアーク放電が生じるが、このアーク放電は流れる電流の向きが逆であるため消弧機構の磁石の作用により磁性板のある方向とは逆の方向へ向くことになる。従って、アーク放電は消滅せず直流開閉器が故障に至る場合がある。【０００８】
直流開閉器の接片を接点から開放する際に生じるアーク放電は持続し続ける危惧を含んでいる。接片を接点に閉じる際にもアーク放電が生じるが、このアーク放電が持続する時間は接片が閉じる間の時間であり、接片を接点から開放する際の持続時間に比べて短い。しかしながら、この場合においても、アーク放電の発生する回数が多くなれば前記したものと同様の問題点が生じる可能性がある。【０００９】
本発明は、この様な点に鑑みて成されたものであり、直流電力を予め定められた極性と間違えて直流開閉器に接続した場合でも、アーク放電による直流開閉器の故障を抑制することができる入力回路及び電力変換装置を提供することを目的とする。
【課題を解決するための手段】
【００１０】
上記目的を達成するために、本発明の入力回路は、正極及び負極を有する直流電力を正極入力端子及び負極入力端を有する双極単投スイッチのそれぞれの入力端子に対応させて接続する入力回路おいて、
前記双極単投スイッチは、前記直流電力の正極が正極入力端子に接続されかつ前記直流電力の負極が負極入力端子に接続されている際に、このスイッチの操作時のアーク放電を減衰させる消弧機構を有すると共に、前記負極入力端子から前記正極入力端子へ向けて電流が流れる方向にダイオードが電気的に接続されていることを特徴とする。【００１１】
本発明の入力回路においては、直流電力の正極と負極とが間違えて直流開閉器としての双極単投スイッチの負極入力端子又は正極入力端子に接続されても、この双極単投スイッチの前で直流電力がダイオードによって短絡された状態となるため、この双極単投スイッチへは電流が流れない。そのため、本発明の入力回路によれば、双極単投スイッチ内でアーク放電が起こらないため、アーク放電によりこの双極単投スイッチが故障する可能性が低くなる。なお、本発明の直流開閉器は、直流電力源として太陽電池モジュール、燃料電池及び蓄電池の場合等に適用することができる。【００１２】
本発明の入力回路においては、前記双極単投スイッチの出力側の端子には、リアクタンス、スイッチング素子、整流ダイオード及びコンデンサを有する昇圧回路が接続され、前記スイッチング素子には、当該スイッチング素子の動作時の電流方向と逆方向の通電を可能とする還流ダイオードが併設されていてもよい。【００１３】
本発明の入力回路によれば、このような昇圧回路の還流ダイオードが直流電力を逆接続した際の電流の循環路として作用した際にも、前記双極単投スイッチの保護を行うことができるようになる。【００１４】
また、本発明の入力回路においては、前記直流電力は、太陽電池で発電されるものであることが好ましい。【００１５】
太陽電池は、個々のセルの起電力及び出力電流が小さいため、複数の太陽電池セルを直列及び並列に接続した太陽電池モジュールを複数個使用することによって、所望の直流電力が得られるようになされる。そのため、直流電力として太陽電池で発電されるものに適用すると、正極及び負極を誤接続される可能性が大きくなるので、本発明の入力回路の作用効果が良好に確認できるようになる。【００１６】
さらに、本発明の電力変換装置は、直流電力を入力回路を介して入力した後、その電圧を昇圧回路で昇圧し、インバータ回路で交流電力に変換して負荷へ供給する電力変換装置において、前記入力回路は、前記直流電力の正極及び負極を正極入力端子及び負極入力端を有する双極単投スイッチのそれぞれの入力端子に対応して接続されており、前記双極単投スイッチは、前記直流電力の正極が前記正極入力端子に接続されかつ前記直流電力の負極が前記負極入力端子に接続されている際に、この双極単投スイッチの操作時のアーク放電を減衰させる消弧機構を有すると共に、前記負極入力端子から前記正極入力端子へ向けて電流が流れる方向にダイオードが電気的に接続されており、前記昇圧回路は、リアクタンス、スイッチング素子、整流ダイオード及びコンデンサを有し、前記スイッチング素子には、当該スイッチング素子の動作時の電流方向と逆方向の通電を可能とする還流ダイオードが併設されていることを特徴とする。【００１７】
本発明の電力変換装置によれば、直流電力の正極と負極とが間違えて双極単投スイッチの負極入力端子又は正極入力端子に接続されて還流ダイオードを介する電流の循環路ができても、このスイッチの前で直流電力がダイオードによって短絡された状態となるため、このスイッチへは電流が流れずアーク放電が起こらない。そのため、アーク放電によりこのスイッチが故障する可能性が低くなる。【００１８】
また、本発明の電力変換装置においてが、前記直流電力は、太陽電池で発電されるものであることが好ましい。【００１９】
直流電力として太陽電池で発電されるものに適用すると、上述したように、正極及び負極が電力変換装置に誤接続された場合でも、本発明の電力変換装置の作用効果が良好に確認できるようになる。
【図面の簡単な説明】
【００２０】
【図１】実施形態１の交流電力供給システムのブロック図である。
【図２】実施形態１における集電部の回路図である。
【図３】実施形態１におけるインバータの回路図である。
【図４】変形例１における集電部の回路図である。
【図５】変形例２における集電部の回路図である。
【図６】実施形態２における電力変換装置の回路図である。
【発明を実施するための形態】
【００２１】
以下、本発明を実施するための形態について、各実施形態及び図面を参照しながら詳細に説明する。ただし、以下に示す各実施形態は、本発明の技術思想を具体化するための入力回路及び電力変換装置の一例を説明するものであって、本発明をこれらの実施形態に記載された入力回路及び電力変換装置に特定することを意図するものではなく、本発明は特許請求の範囲に含まれるその他の実施形態のものにも等しく適応し得るものである。また、本発明は直流電力として太陽電池、燃料電池ないし蓄電池の何れを用いた場合についても等しく適用し得るものであるが、以下においては直流電力として複数個の太陽電池直列及び並列に接続した太陽電池モジュールを用いた場合に代表させて説明することとする。
【００２２】
［実施形態１］
最初に、図１を用いて実施形態１の交流電力供給システム１の概略構成について説明する。この交流電力供給システム１は、複数個（例えば４個）の太陽電池モジュール２Ａ〜２Ｄの発電電力を一つの直流電力に束ねる集電部（集電箱、中継端子箱とも称される）３と、この直流電力を交流電力に変換するインバータ部４とを備えており、インバータ部４から出力される交流電力は、連系リレー５を経て、適宜負荷６に供給ないし商用電源系統７に重畳されるようになっている。
【００２３】
太陽電池モジュール２Ａ〜２Ｄのそれぞれは、複数個（図面では１４個）の太陽電池セルを直列に接続し、これをさらに複数個（図面では２列）並列に接続した構成を備えている。図２は、実施形態１における太陽電池モジュール２Ａを開閉スイッチ１３Ａ（接点と接片を１回路とし、この回路を少なくとも２回路内蔵しかつこの２回路の接片が連動する様に構成された双極単投スイッチの１例である。）に接続した例を示しており、この太陽電池モジュール２Ａは集電部３に設けられたそれぞれ対応する正入力端子１１ａ及び負入力端子１２に接続されている。
【００２４】
そして、集電部３は、太陽電池モジュール２Ａの正極及び負極がそれぞれ正極入力端子１１ａ及び負極負入力端子１２ａに接続され、また第１のダイオード１０ａと、開閉スイッチ１３Ａとが設けられており、開閉スイッチ１３Ａの出力側は、それぞれ正極出力端子１４及び負極出力端子１５に接続されている。すなわち、集電部３は、太陽電池モジュール２Ａの発電電力を開閉スイッチ１３Ａで開閉制御して、正極出力端子１４及び負極出力端子１５から出力される直流電力を制御するものである。
【００２５】
ここで用いている開閉スイッチ１３Ａは、接点と切片との組み合わせを１回路としてそれぞれ正極路線と負極路線に介在させた大電流用の双極単投スイッチの構成に、さらに内部に接点と接片との開閉操作の際に生じるアーク放電を消滅させる消弧機構を備えている。この消弧機構は、前記直流電力の正極が開閉スイッチ１３Ａの正極入力端子に接続されかつ前記直流電力の負極が開閉スイッチ１３Ａの負極入力端子に接続されている際に、このスイッチの操作時のアーク放電を減衰させるように設けられているものである。この消弧機構は、当該接続が成された際の電流の流れる方向に特定して配置される磁性体と、当該電流と磁性体との位置関係からアーク放電を特定方向に導き、このアーク放電の方向に配置される消弧部材とから構成されている。このような機能を備えた開閉スイッチとしては、例えば上記特許文献２に開示されているような直流開閉器がある。そして、本実施形態１の集電部３では、第１のダイオード１０ａは、負入力端子１２ａから正入力端子１１ａ側に向かって電流が流れるように接続されている。
【００２６】
また集電部３の正出力端子１４及び負出力端子１５の出力は、図３に示したように、それぞれインバータ４の正入力端子１６及び負入力端子１７に入力される。インバータ４は、ＤＣ／ＡＣ変換回路を主とするものであり、電力変換回路、ＰＶインバータ、パワーコンディショナなどと称されることもある。インバータ４は、直流電力を５０Ｈｚないし６０Ｈｚの特定の交流電力、すなわち商用電源系統の交流電力と同位相の交流電力に変換して出力する。
【００２７】
インバータ４の正入力端子１６及び負入力端子１７に入力された直流電力は、直流用リアクトルＤＣＬを経てスイッチ素子モジュール１８に入力されている。スイッチ素子モジュール１８は、それぞれトランジスタ及び還流ダイオードの並列回路を有する昇圧用スイチング回路１９及び単相のフルブリッジ回路２０として構成されＩＣ化されている。そして、直流用リアクトルＤＣＬの出力側は昇圧用スイッチング回路１９の入力側Ａ点に接続され、この昇圧用スイッチング回路１９とフルブリッジ回路２０の接続点Ｂ点及びＣ点の間には平滑コンデンサＣＯＮが接続されている。また、フルブリッジ回路２０の出力点Ｄ点及びＥ点はそれぞれ交流用リアクトルＡＣＬに接続されている。なお、直流用リアクトルＤＣＬ及び交流用リアクトルＡＣＬは、周波数５０Ｈｚないし６０Ｈｚの周波数に対するリアクタンスが大きいものが使用され、平滑コンデンサＣＯＮも大容量のものが用いられる。
【００２８】
ここで、直流用リアクトルＤＣＬ、昇圧用スイッチング回路１９及び平滑コンデンサＣＯＮによって昇圧形のＤＣ／ＤＣコンバータ回路を構成し、フルブリッジ回路２０及び一対の交流用リアクトルＡＣＬによってＤＣ／ＡＣコンバータ回路を構成している。なお、交流用リアクトルＡＣＬの出力側に接続されているコンデンサＸｃはノイズ除去用のものである。これらの昇圧用スイッチング回路１９及びフルブリッジ回路２０は、別途制御回路からの信号によって制御されているが、これらの具体的な制御方式は本発明の動作にかかるものではなく通常のものを用いることが可能であり、その詳細な説明は省略する。
【００２９】
また、一対の交流用リアクトルＡＣＬからの交流出力は、一対の交流出力端子２１、２２、連系リレー５を経て、負荷６及び商用電源系統７（図１参照）に接続されている。
【００３０】
ここで、図２を参照しながら第１のダイオード１０ａ機能について説明する。太陽電池モジュール２Ａと集電部３とを接続する電気工事者と、太陽電池モジュール２Ａを設置する設置業者とは通常異なる作業者によって行われる。そのため、作業者が間違えて、太陽電池モジュール２Ａの正極及び負極を誤って集電部３の正極入力端子１１及び負極入力端子１２ａへ逆に接続してしまうことがある。
【００３１】
このような誤接続が行われた場合、正出力端子１４及び負出力端子１５に接続される側の回路に直流電流の循環回路ができていると、開閉スイッチ１３Ａの接片を閉じることによって開閉スイッチ１３Ａには大電流が流れてしまう。この状態で開閉スイッチ１３Ａの接片を接点から開くと、開閉スイッチ１３Ａの内部の接点及び接片間でアーク放電が生じる。このアーク放電は開閉スイッチ１３Ａに流れる電流の向きが設計方向とは逆になっているため、消弧機構の磁性体の作用によるアーク放電の方向が太陽電池モジュール２Ａの正極及び負極を正しく接続した場合と反対方向になって消弧部材が機能せず、その結果アーク放電は減少することなくなく放電を続ける場合があった。開閉スイッチ１３Ａ内でアーク放電が継続されると、開閉スイッチ１３Ａ内が高温となり、開閉スイッチ１３Ａが故障する可能性が大きくなる。
【００３２】
しかしながら、実施形態１の交流電力供給システム１では、第１のダイオード１０ａが集電部３の負極入力端子１２から正極入力端子１１ａの側に向かって電流が流れるように接続されている。このような構成を備えていると、太陽電池モジュール２Ａの正極及び負極が集電部３の正極入力端子１１ａ及び負極入力端子１２ａに正しく接続されている場合、第１のダイオード１０ａには電流が流れず、開閉スイッチ１３Ａの入力インピーダンスが変化するなどの影響はない。しかしながら、太陽電池モジュール２Ａの正極及び負極が集電部３の正極入力端子１１ａ及び負極入力端子１２ａに逆に接続された場合、この逆に接続された太陽電池モジュール２Ａは開閉スイッチ１３Ａの前で第１のダイオード介して短絡された状態となり、開閉スイッチ１３Ａへは電流が流れない。従って、開閉スイッチ１３Ａには、開閉スイッチ１３Ａの接片を操作した際にアーク放電が起こり得る電流が流れることはない。
【００３３】
［変形例１、２］
【００３４】
図４に示す変形例１の集電部３Ａは、太陽電池モジュールを太陽電池モジュール２Ａ〜２Ｄの４列とした場合である。変形例１における集電部３Ａは、実施形態１の集電部３のように、開閉スイッチ１３Ａ〜１３Ｄ、正極入力端子１１ａ〜１１ｄ、負極入力端子１２ａ〜１２ｄ、負極入力端子１２ａ〜１２ｄから正極入力端子１１ａ〜１１ｄの側へ電流が流れるように接続される第１のダイオード１０ａ〜１０ｄを備えているだけでなく、開閉スイッチ１３Ａ〜１３Ｄの正出力接点側と正出力端子１４との間に順方向にそれぞれ第２のダイオード２３ａ〜２３ｄとを挿入したものである。また、変形例２の集電部３Ｂは、変形例１とは異なり、第２のダイオード２３ｅ〜２３ｈを開閉スイッチ１３Ａ〜１３Ｄの負出力接点側と負出力端子１５との間に逆方向にそれぞれ挿入したものである。
【００３５】
このような構成を備えていると、太陽電池モジュール２Ａ〜２Ｄのいずれかの正極及び負極を誤接続した際には、第１のダイオード１０ａ〜１０ｄを介して電流が流れ、開閉スイッチ１３Ａ〜１３Ｄには電流が流れないから、開閉スイッチ１３Ａ〜１３Ｄ内には、アーク放電は起らない。しかし、第１のダイオード１０ａ〜１０ｄに他の太陽電池モジュールの出力が回り込むとダイオードが故障、例えば開放故障、することがあり、この場合には太陽電池モジュールの誤接続による保護を行うことができなくなる。この出力の回り込みを防止するために、第２のダイオード２３ａ〜２３ｈを設けている。
［実施形態２］
図６は、インバータ部４の入力回路として、変形例１に示した構成の入力回路を用いた実施形態２の電力変換装置２４を示す。すなわち、実施形態２の電力変換装置２４は、図４に示す変形例１（ダイオード１０ａ〜１０ｄは削除してもよい。）の正極出力端子１４及び負極出力端子１５を図３に示すインバータ４の正極入力端子１６及び負極入力端子１７に接続する際に、別開閉投スイッチ１３Ｅと第１のダイオード１０ｅとからなる入力回路を介在させものである。
【００３６】
開閉スイッチ１３Ｅは上述した開閉スイッチ１３Ａ〜１３Ｄの場合と同様に、アーク放電を減衰させる消弧機構を備えるものである。第１のダイオード１０ｅは、この開閉スイッチ１３Ｅの負極入力端子１２ｅから正極入力端子１１ｅへ電流が流れるように電気的に接続されている。この実施形態２の電力変換装置２４においても、上述した変形例１に示した構成の入力回路の場合と同様に、誤って集電部３の正極出力端子１４が負極入力端子１７へ接続され、負極出力端子１５が正極入力端子１６へ接続された際に、開閉スイッチ１３Ｅに電流が流れることを防止している。
【００３７】
なお、負極入力端子１７に印加された直流電力は昇圧部のスイッチング回路１９のスイッチ素子に併設される還流ダイオード及び直流リアクトルＤＣＬを介して正極入力端子１６へ戻る循環回路が構成され、開閉スイッチ１３Ｅの接片が閉じた際の電流路となるが、第１のダイオード１０ｅによりこの循環回路に電流は流れない。
【符号の説明】
【００３８】
１…交流電力供給システム
２Ａ〜２Ｄ…太陽電池モジュール
３、３Ａ、３Ｂ…集電部（中継端子箱）
４…インバータ
５…連系リレー
６…負荷
７…商用電源系統
１０ａ〜１０ｅ…第１のダイオード
１１ａ〜１１ｅ…正極入力端子
１２ａ〜１２ｅ…負極入力端子
１３Ａ〜１３Ｅ…開閉スイッチ
１４…正極出力端子
１５…負極出力端子
１６…正極入力端子
１７…負極入力端子
１８…スイッチ素子
１９…スイッチング回路
２０…フルブリッジ回路
２１、２２…交流出力端子
２３ａ〜２３ｈ…第２のダイオード
２４…電力変換装置
ＤＣＬ…直流リアクトル
ＡＣＬ…交流リアクトル
ＣＯＮ…平滑コンデンサ
Ｘｃ…コンデンサ
ＲＬＹ…系統リレー
【図１】
2014033868.tif 000003
【図２】
2014033868.tif 000004
【図３】
2014033868.tif 000005
【図４】
2014033868.tif 000006
【図５】
2014033868.tif 000007
【図６】
2014033868.tif 000008
【手続補正書】
【提出日】平成27年9月17日(2015.9.17)
【手続補正１】
【補正対象書類名】特許請求の範囲
【補正対象項目名】全文
【補正方法】変更
【補正の内容】
【特許請求の範囲】
【請求項１】
正極及び負極を有する直流電力を正極入力端子及び負極入力端子を有する双極単投スイ
ッチのそれぞれの入力端子に対応させて接続する入力回路おいて、
前記双極単投スイッチは、前記直流電力の正極が正極入力端子に接続されかつ前記直流電
力の負極が負極入力端子に接続されている際に、このスイッチの操作時の電流の流れる方
向に特定して配置される磁性体でアーク放電を減衰させる消弧機構を有すると共に、前記
スイッチの前で前記直流電力が短絡された状態となるように前記負極入力端子から前記正
極入力端子へ向けて電流が流れる方向にダイオードが電気的に接続されていることを特徴
とする入力回路。
【請求項２】
前記双極単投スイッチの出力側の端子には、リアクタンス、スイッチング素子、整流ダ
イオード及びコンデンサを有する昇圧回路が接続され、
前記スイッチング素子には、当該スイッチング素子の動作時の電流方向と逆方向の通電を
可能とする還流ダイオードが併設されていることを特徴とする請求項１に記載の入力回路
。
【請求項３】
前記直流電力は、太陽電池で発電されるものであることを特徴とする請求項１又は２に
記載の入力回路。
【請求項４】
直流電力を入力回路を介して入力した後、その電圧を昇圧回路で昇圧し、インバータ回路
で交流電力に変換して負荷へ供給する電力変換装置において、
前記入力回路は、前記直流電力の正極及び負極を正極入力端子及び負極入力端子を有する
双極単投スイッチのそれぞれの入力端子に対応して接続されており、前記双極単投スイッ
チは、前記直流電力の正極が前記正極入力端子に接続されかつ前記直流電力の負極が前記
負極入力端子に接続されている際に、このスイッチの操作時の電流の流れる方向に特定し
て配置される磁性体でアーク放電を減衰させる消弧機構を有すると共に、前記スイッチの
前で前記直流電力が短絡された状態となるように前記負極入力端子から前記正極入力端子
へ向けて電流が流れる方向にダイオードが電気的に接続されており、前記昇圧回路は、リ
アクタンス、スイッチング素子、整流ダイオード及びコンデンサを有し、前記スイッチン
グ素子には、当該スイッチング素子の動作時の電流方向と逆方向の通電を可能とする還流
ダイオードが併設されていることを特徴とする電力変換装置。
【請求項５】
前記直流電力は、太陽電池で発電されるものであることを特徴とする請求項４に記載の電
力変換装置。
【国際調査報告】
2014033868.tif 000009
2014033868.tif 000010
2014033868.tif 000011
2014033868.tif 000012
2014033868.tif 000013
2014033868.tif 000014